(57)【要約】【課題】本発明は、営巣の撤去箇所（地上側の鋼管や塔上側の鋼管等）に限定されない作業方法で、特段の技量や経験も必要とせず、大掛かりな工具も使用せず、例えば、地上側もしくは地上側からの簡便な作業によって例えば鳥獣や蜂等の営巣を確実に撤去可能にした鋼管の営巣撤去工具及び営巣撤去工法を提供する。【解決手段】本発明に係る営巣撤去工具は、掻き出し用掃拭部２Ａ又は清掃用掃拭部３Ａが配置されている掃拭用ワイヤーロープ２，３と、掃拭用ワイヤーロープ２，３の両端を接合する所定の長さのロープ１により構成され、所定の長さのロープ１が鋼管Ｑ内に挿入されている状態において、掃拭用ワイヤーロープ２，３及び所定の長さのロープ１が、ループ状に連結可能であることを特徴とする。【選択図】図１
2019010605.tif 000002
【特許請求の範囲】
【請求項１】
鋼管の内部に作られている営巣を掻き出して撤去するための営巣撤去工具であって、該営巣撤去工具は、掻き出し用掃拭部又は清掃用掃拭部が配置されている掃拭用ワイヤーロープと、掃拭用ワイヤーロープの両端を接合する所定の長さのロープにより構成され、所定の長さのロープが鋼管内に挿入されている状態において、掃拭用ワイヤーロープ及び所定の長さのロープが、ループ状に連結可能であることを特徴とする鋼管の営巣撤去工具。
【請求項２】
掻き出し用掃除部は、前記ループ状に連結された掃拭用ワイヤーロープ及び所定の長さのロープを輪転させて鋼管内を一方向に循環させることにより、鋼管内壁に接触しながら移動し、営巣を強制的に移動させて鋼管の掻き出し口に集めて撤去するものである請求項１に記載の鋼管の営巣撤去工具。
【請求項３】
清掃用掃除部は、前記ループ状に連結された掃拭用ワイヤーロープ及び所定の長さのロープを輪転させて鋼管内を一方向又は他方向に交互に循環させることにより、鋼管内壁に接触しながら移動し、鋼管内壁に付着している塵埃物を撤去するものである請求項１に記載の鋼管の営巣撤去工具。
【請求項４】
掻き出し用掃除部は、複数の剛性線材をウエーブ状に加工し、掃拭用ワイヤーロープの長さ方向の正逆方向に沿って箒状に広がる一対のワイヤーブラシにより形成されている請求項１又は２に記載の鋼管の営巣撤去工具。
【請求項５】
清掃用掃除部は、掃拭用ワイヤーロープに沿って放射状に束ねられてタワシ状に形成された硬質繊維性の清掃ブラシにより形成されている請求項１又は３に記載の鋼管の営巣撤去工具。
【請求項６】
鋼管内部に作られた営巣を掻き出し撤去するための鋼管の営巣撤去工法であって、
鋼管の一端側からスコープを挿入して営巣の状況を確認する工程と、
通し線に挿入用先端金具を取り付けて鋼管の一端側から挿入する工程と、
鋼管の他端側に通し線が到着後、挿入用先端金具を引替用金具に取り替え、掻き出し用掃除部を備えた掃拭用ワイヤーロープを連結した所定の長さのロープの一端を連結する工程と、
鋼管の一端側で通し線を巻き取り、到着した所定の長さのロープを掻き出し用掃除部を備えた掃拭用ワイヤーロープの他端に連結してループ状にする工程と、
掻き出し用掃除部によって営巣が一端側に移動するよう前記ループ状に連結された掃拭用ワイヤーロープ及び所定の長さのロープを一方向に輪転させるように引く工程と、
営巣の移動を確認後、集塵袋を設置しブロアを併用しながら、鋼管の一端側から掻き出し金具を使って営巣を掻き出す工程と、
を有することを特徴とした鋼管の営巣撤去工法。
【請求項７】
営巣の掻き出し後、スコープで鋼管内部の状態を確認する工程と、
鋼管内部に営巣の残材が無いことを確認後、掻き出し用掃除部を備えた掃拭用ワイヤーロープを、清掃用掃除部を備えた掃拭用ワイヤーロープに付け替える工程と、
ループ状に連結された掃拭用ワイヤーロープ及び所定の長さのロープを輪転させて鋼管内を一方向又は他方向に交互に循環させることにより、鋼管内壁に接触しながら移動し、鋼管内壁に付着している塵埃物を撤去する工程と、
をさらに含む請求項６に記載の鋼管の営巣撤去工法。
【発明の詳細な説明】
【技術分野】
【０００１】
本発明は、電力線鉄塔の鋼管内部に作られた営巣を撤去して清掃するための、鋼管の営巣撤去工具及び営巣撤去工法に関するものである。
【背景技術】
【０００２】
従来から、鋼管内に、例えば、鳥獣や蜂等の営巣を確認した電力線鉄塔が多数発見されている。この営巣により、鋼管内部の腐食点検（例えば、内視鏡点検）が実施できなくなる他、営巣が鋼管内面の腐食に繋がる一要因になっている。
【０００３】
このため、上記点検及び腐食防止のための様々な工具が利用されているが、標準的な撤去方法は確立されていないのが現状である。
【０００４】
そして、従来の営巣撤去方法としては、フレキシブルシャフトに先端ノズルを取り付け、電動ドリルにて回転させながら清掃を行う方法、或いは、貯水タンク（１．０００リットル）を配置して高圧洗浄機のノズルを取り付け、清掃を行う方法、更には、電動ドリルにフレキシブルシャフトを取り付けて清掃し、且つコンプレッサのエアーで回収する方法等があった。
【０００５】
このように、鋼管の内部に作られた営巣を撤去する工法として、電源を要する高圧洗浄機や電動ドリル等を活用した大掛かりな撤去工法が存在していた。
【０００６】
この他、従来の鉄塔における鋼管内部の異物除去手法として、特許文献１に示すように、主柱材を鋼管で構成された鉄塔類の鋼管内部を掃拭するために、主柱材に取り付けられた遮水板の細長い溝より容易に挿入でき、鋼管内部で固まった土砂や蜂の巣およびごみ等の固まりを粉砕することができる鋼管内異物粉砕機が開示されている。
【０００７】
この鋼管内異物粉砕機は、長さが異なり湾曲した一対の板バネからなる治具部と弾性に富む金属製のチューブを接合し、ガイドパイプにチューブを通して突き出し、チューブ端部に取り付けた駆動部から回転力を与えることで、鋼管内の土砂、蜂の巣およびごみ等の固まりを粉砕する構造とされている。
【先行技術文献】
【特許文献】
【０００８】
【特許文献１】実用新案登録第３０５６３９５号公報
【発明の概要】
【発明が解決しようとする課題】
【０００９】
上記した様に、電源を要する高圧洗浄機や、特許文献１に示すような電動ドリル等の各種の装置を活用した撤去作業では、装置が大掛かりとなり、且つ塔上での扱いが困難であり、適用条件が用途によって限定されていた。
【００１０】
具体的には、フレキシブルシャフトは、適用範囲が腹材及び水平材（径：Φ８９．１ｍｍ〜Φ２１６．３ｍｍ）に限られ、フレキシブルシャフト長が１５ｍ〜２５ｍに限られる。
【００１１】
また、高圧洗浄機は、適用範囲が最下節材（径：〜Φ２１６．３ｍｍまで）に限られ、延長ホース長が２０ｍに限られる。
【００１２】
さらに、フレキシブルシャフトとコンプレッサとの併用では、適用範囲が腹材及び水平材（径：〜Φ２１６．３ｍｍまで）に限られ、エアホース長が８０ｍに限られる。しかも、電動工具等の機械を必要とするため、撤去費用が高額となる。
【００１３】
この他、特許文献１の鋼管内異物粉砕機を使用して、鉄塔の斜め鋼管の内部を清掃する場合には、作業員が搭上に上って、鋼管内異物粉砕機の先端の板バネ状の治具部をガイドパイプを使って鋼管の上側開口端に差し込む作業となるため、非常に危険であり、しかも、営巣を下方に押し出すのにかなりの労力を要する。
【００１４】
また、既存の営巣撤去工法は、上記した大掛かりな装置を用いることから、鋼管内部腐食点検（以下、内視鏡点検とする。）時、鋼管内に営巣を発見しても、その都度、営巣を撤去することが困難である。
【００１５】
そのため、別工事で営巣を撤去した上で、再度、内視鏡点検による調査を実施することから、費用が嵩んでいた。
【００１６】
この様に、従来技術においては、内視鏡点検に合わせた営巣撤去を実施することができない事態が生じていた。
【００１７】
また、既存の営巣撤去工法は、電源を要する高圧洗浄機や特許文献１に示すような電動ドリル等を活用した大掛かりな装置を用いるため、資機材が重量物となり、搬出入も困難である。
【００１８】
更に、塔上での扱いも困難であり、また、標準的な営巣撤去工法が確立されていないため、工具を扱う技量が求められていた。
【００１９】
そこで、営巣の発見時に、直ぐに営巣を撤去できる営巣撤去工法を確立する必要がある。また、作業員の技量に関係なく取り扱いが簡便で、しかも、営巣の撤去時に鋼管内面に付着した堆積物を確実に除去できる営巣撤去工具を開発する必要がある。
【００２０】
本発明は、如上のような従来存在した諸事情に鑑み創出されたもので、営巣の撤去箇所（地上側の鋼管や塔上側の鋼管等）に限定されない作業方法で、特段の技量や経験も必要とせず、また、大掛かりな工具も使用せず、地上からの簡便な作業により、例えば、鳥獣や蜂等の営巣を確実に撤去することのできる、鋼管の営巣撤去工具及び営巣撤去工法を提供することを目的とする。
【課題を解決するための手段】
【００２１】
本発明に係る請求項１の発明は、鋼管の内部に作られている営巣を掻き出して撤去するための営巣撤去工具であって、該営巣撤去工具は、掻き出し用掃拭部又は清掃用掃拭部が配置されている掃拭用ワイヤーロープと、掃拭用ワイヤーロープの両端を接合する所定の長さのロープにより構成され、所定の長さのロープが鋼管内に挿入されている状態において、掃拭用ワイヤーロープ及び所定の長さのロープが、ループ状に連結可能であることで、上述した課題を解決した。
【００２２】
この請求項１に係る鋼管の営巣撤去工具によれば、所定の長さのロープが鋼管内に挿入されている状態において、掃拭用ワイヤーロープ及び所定の長さのロープが、ループ状に連結可能であることで、営巣の撤去箇所（地上側の鋼管や塔上側の鋼管等）に限定されない作業方法で、営巣を確実に撤去可能にする。
【００２３】
また、本発明に係る請求項２の発明は、掻き出し用掃除部は、前記ループ状に連結された掃拭用ワイヤーロープ及び所定の長さのロープを輪転させて鋼管内を一方向（下方向）に循環することにより、鋼管内壁に接触しながら移動し、営巣を強制的に移動させて鋼管の掻き出し口に集めて撤去するものであることで、同じく、上述した課題を解決した。
【００２４】
この請求項２に係る鋼管の営巣撤去工具によれば、ループ状に連結された掃拭用ワイヤーロープ及び所定の長さのロープを輪転させて鋼管内を一方向（下方向）に循環することで、極めて短時間のうちに効率良く営巣の撤去作業を完了できる。
【００２５】
さらに、本発明に係る請求項３の発明は、清掃用掃除部は、前記ループ状に連結された掃拭用ワイヤーロープ及び所定の長さのロープを輪転させて鋼管内を一方向又は他方向に交互に循環させることにより、鋼管内壁に接触しながら移動し、鋼管内壁に付着している塵埃物を撤去するものであることで、同じく、上述した課題を解決した。
【００２６】
この請求項３に係る鋼管の営巣撤去工具によれば、ループ状に連結された掃拭用ワイヤーロープ及び所定の長さのロープを輪転させて鋼管内を一方向又は他方向に交互に循環させることで、特段の技量や経験も必要とせず、大掛かりな工具も使用せず、例えば、地上側若しくは搭上側からの簡便な作業によって、鋼管内面に付着した堆積物を確実に除去できる。
【００２７】
さらに、本発明に係る請求項４の発明は、掻き出し用掃除部は、複数の剛性線材をウエーブ状（略Ｓ字曲線型）に加工して掃拭用ワイヤーロープの長さ方向の正逆方向に沿って箒状に広がる一対のワイヤーブラシにより形成されていることで、同じく、上述した課題を解決した。
【００２８】
この請求項４に係る鋼管の営巣撤去工具によれば、例えば鳥獣や蜂等の営巣をワイヤーブラシによって掻き出すことで、特段の技量や経験も必要とせず、大掛かりな工具も使用せず、例えば、地上側若しくは搭上側からの簡便な作業によって、確実に営巣を撤去可能にする。
【００２９】
さらに、本発明に係る請求項５の発明は、清掃用掃除部は、掃拭用ワイヤーロープに沿って放射状に束ねられてタワシ状に形成された硬質繊維性の清掃ブラシにより形成されていることで、同じく、上述した課題を解決した。
【００３０】
この請求項５に係る鋼管の営巣撤去工具によれば、特段の技量や経験も必要とせず、大掛かりな工具も使用せず、例えば、地上側若しくは搭上側からの簡便な作業によって、鋼管内部に付着した堆積物を確実に除去できる。
【００３１】
さらに、本発明に係る請求項６の発明は、鋼管内部に作られた営巣を掻き出し撤去するための鋼管の営巣撤去工法であって、
鋼管の一端側からスコープを挿入して営巣の状況を確認する工程と、
通し線に挿入用先端金具を取り付けて鋼管の一端側から挿入する工程と、
鋼管の他端側に通し線が到着後、挿入用先端金具を引替用金具に取り替え、掻き出し用掃除部を備えた掃拭用ワイヤーロープを連結した所定の長さのロープの一端を連結する工程と、
鋼管の一端側で通し線を巻き取り、到着した所定の長さのロープを掻き出し用掃除部を備えた掃拭用ワイヤーロープの他端に連結してループ状にする工程と、
掻き出し用掃除部によって営巣が一端側に移動するよう前記ループ状に連結された掃拭用ワイヤーロープ及び所定の長さのロープを一方向に輪転させるように引く工程と、
営巣の移動を確認後、集塵袋を設置しブロアを併用しながら、鋼管の一端側から掻き出し金具を使って営巣を掻き出す工程と、を有することで、同じく、上述した課題を解決した。
【００３２】
この請求項６に係る鋼管の営巣撤去工具によれば、特段の技量や経験も必要とせず、大掛かりな工具も使用せず、例えば、地上側若しくは搭上側からの簡便な作業によって、鋼管内部の、例えば、鳥獣や蜂等の営巣を確実に撤去可能にする。
【００３３】
また、本発明に係る請求項７の発明は、営巣の掻き出し後、スコープで鋼管内部の状態を確認する工程と、
鋼管内部に営巣の残材が無いことを確認後、掻き出し用掃除部を備えた掃拭用ワイヤーロープを、清掃用掃除部を備えた掃拭用ワイヤーロープに付け替える工程と、
ループ状に連結された掃拭用ワイヤーロープ及び所定の長さのロープを輪転させて鋼管内を一方向又は他方向に交互に循環させることにより、鋼管内壁に接触しながら移動し、鋼管内壁に付着している塵埃物を撤去する工程と、をさらに含むことで、同じく、上述した課題を解決した。
【００３４】
この請求項７に係る鋼管の営巣撤去工法によれば、特段の技量や経験も必要とせず、大掛かりな工具も使用せず、例えば、地上側若しくは搭上側からの簡便な作業によって、鋼管内部に付着している塵埃物を確実に撤去可能にすることができる。
【００３５】
このように、本発明では、営巣の撤去箇所での使い勝手と運搬が容易であること、撤去に技量や経験を要せずに少人数での作業が可能で適用条件に限定されないこと、また、大掛かりな発電機や電動工具に頼らずに、営巣が作られる全ての部材サイズに適合した簡便な営巣撤去工具を使用すること等をコンセプトにして、営巣撤去・鋼管内堆積物の除去を実現したのである。
【発明の効果】
【００３６】
本発明によれば、ワイヤーブラシを開発したことにより、営巣物が何層にも作られている場合においても、その撤去が容易となる。
【００３７】
また、営巣撤去工法の標準手順を確立したことにより、営巣撤去の効率化が図られ、営巣除去費用を削減することができる。
【００３８】
更に、鋼管内部の腐食点検に合わせて営巣撤去ができるため、追加の内視鏡点検費用も削減できる。
【００３９】
また、営巣物等による鋼管内部の腐食進行の加速を防止できる。
【図面の簡単な説明】
【００４０】
【図１】本実施形態における営巣撤去工具の使用状態の概略を示す斜視図である。
【図２】図２中、（ａ）乃至（ｄ）は、本実施形態における営巣撤去工法の作業内容を示す説明図である。
【図３】図３中、（ａ）乃至（ｄ）は、本実施形態における営巣撤去工法の作業内容を示す説明図である。
【図４】鋼管内の営巣状況を確認するためにスコープを鋼管の下方開口端から差し込む状態を示す斜視図である。
【図５】通し線の構成を示すもので、（ａ）は通し線の一端に挿入用先端金具を取り付けた状態の斜視図、（ｂ）は挿入用先端金具を引替用金具に付け替えた状態の斜視図、（ｃ）は通し線を引き出し又は巻き取るためのリールを示す斜視図である。
【図６】図６中、（ａ）はロープのフックにシャックルを介して取り付けられるワイヤーブラシによる掻き出し用掃除部の構成を示す側面図、（ｂ）はロープのフックにシャックルを介して取り付けられる清掃ブラシによる掻き出し用掃除部の構成を示す側面図である。
【図７】鋼管から営巣が掻き出されている状態を示す斜視図である。
【発明を実施するための形態】
【００４１】
以下に、図面を参照して、本発明の一実施の形態について説明する。
【００４２】
＜実施の形態＞
本発明に係る鋼管の営巣撤去工具は、掻き出し用掃拭部２Ａ又は清掃用掃拭部３Ａが配置されている掃拭用ワイヤーロープ２，３と、掃拭用ワイヤーロープ２，３の両端を接合する所定の長さのロープ１により構成されている。
【００４３】
そして、鋼管Ｑよりも長い所定の長さのロープ１が鋼管Ｑ内に挿入されている状態において、掃拭用ワイヤーロープ２，３及び所定の長さのロープ１が、ループ状に連結可能になっている。
【００４４】
具体的には、鉄塔Ｐの鋼管Ｑ内に、該鋼管Ｑよりも長い所定の長さのロープ１をその一端から挿入し、鋼管Ｑから突出したロープ１の両端が、図６（ａ）に示す掻き出し用掃除部２Ａを備えた掃拭用ワイヤーロープ２、又は、図６（ｂ）に示す清掃用掃除部３Ａを備えた掃拭用ワイヤーロープ３を介して、ループ状に連結可能としている。
【００４５】
掻き出し用掃除部２Ａは、図１、図３（ａ）、図３（ｂ）に示すように、掃拭用ワイヤーロープ２を連結したロープ１を輪転させて鋼管Ｑ内を下方向に循環させることにより、鋼管Ｑ内壁に接触しながら移動し、営巣を強制的に移動させて鋼管Ｑの掻き出し口（下端開口側）に集めて撤去する。
【００４６】
清掃用掃除部３Ａは、図３（ｄ）に示すように、掃拭用ワイヤーロープ３を連結したロープ１を輪転させて鋼管Ｑ内を一方向又は他方向に交互に循環させることにより、鋼管Ｑ内壁に付着している塵埃物を撤去する。
【００４７】
即ち、鋼管Ｑ内に通されているロープ１を一方向（下方向）に引きながら掃拭用ワイヤーロープ２の掻き出し用掃除部２Ａによって鋼管Ｑ内の営巣を掻き出しながら移動させ撤去した後に、ロープ１に、清掃用掃除部３Ａを備えた掃拭用ワイヤーロープ３に取り替えて鋼管Ｑ内を清掃する。
【００４８】
また、掻き出し用掃除部２Ａは、複数の剛性線材をウエーブ状（略Ｓ字曲線型）に加工して掃拭用ワイヤーロープ２の長さ方向の正逆方向に沿って箒状に広がる一対のワイヤーブラシにより形成されている。
【００４９】
即ち、掻き出し用掃除部２Ａは、スチール製の掃拭用ワイヤーロープ２（８０ｃｍ）の中央部分に、長さ１０ｃｍ〜４０ｃｍのＳ字曲線型に加工した、例えば、６本〜１０本程度のワイヤーブラシを掃拭用ワイヤーロープ２の長さ方向の正逆方向に沿って箒状に広がるように取り付けられている。
【００５０】
そして、掻き出し用掃除部２Ａは、鋼管Ｑ内を一方向に移動させることにより、営巣（藁など）を移動させながら、塵埃物と共に掻き出し口に集めることができる。この掻き出し用掃除部２Ａは、ウエーブしたワイヤーブラシであることから、営巣物を絡めて除去し易い形状となっている。
【００５１】
また、狭い入口でも入れられるように柔軟性を備えており、また、ワイヤーブラシの本数を増やすことで剛性も高められている。
【００５２】
さらに、掃拭用ワイヤーロープ２に沿って正逆両方向に掻き出し用掃除部２Ａを設置することで、固着した営巣物を剥がす効果がある。
【００５３】
清掃用掃除部３Ａは、掃拭用ワイヤーロープに沿って放射状に束ねられてタワシ状に形成された、硬質繊維性の清掃ブラシにより形成されている。
【００５４】
即ち、清掃用掃除部３Ａは、スチール製の掃拭用ワイヤーロープ３（８０ｃｍ）の中央部分に、鋼管Ｑの内径毎に適用する硬質繊維性の清掃ブラシ（径：８０ｍｍ〜２００ｍｍ）を取り付けてなる。尚、清掃ブラシは、スチール製の線材であっても良い。
【００５５】
掃拭用ワイヤーロープ２の掻き出し用掃除部２Ａは、集めた営巣をブロアも使用して掻き出すが、掻き出しに一定の目途が付いた時点で、掻き出し用掃除部２Ａの掃拭用ワイヤーロープ２を、清掃用掃除部３Ａを備えた掃拭用ワイヤーロープ３に付け替え、営巣屑・塵埃物等の細かなものを撤去する。
【００５６】
以下に、本実施形態における営巣撤去工具の使用方法（営巣撤去工法）を、図２及び図３に基づき、詳細に説明する。尚、本工法は、鋼管Ｑとして鉄塔Ｐの斜め部材に適用し、例えば、地上側若しくは搭上側において営巣の撤去を可能にしているが、これに限らず、鉄塔Ｐの水平部材等に適用しても良い。
【００５７】
先ず、図２（ａ）に示すように、地上における鋼管Ｑの下端開口側からスコープ（内視鏡）Ｓを挿入して鋼管Ｑ内部の営巣の状況を確認する。スコープ（内視鏡）Ｓは、不図示のスマートフォンに接続された通し線(ファイバー線)６の先端に取り付けられている。
【００５８】
鋼管Ｑ内部の営巣の存在を確認した時は、図２（ｂ）に示すように、スコープ（内視鏡）Ｓを取り外した通し線(ファイバー線)６に、剛性棒状の挿入用先端金具５を取り付けて、鋼管Ｑの下端開口側から挿入する。
【００５９】
挿入用先端金具５は、図５（ａ）に示すように、通し線(ファイバー線)６の先端に、例えばネジ式等のジョイント部７によって取り付けられている。また、図５（ｃ）に示すように、通し線６は、これを引き出し又は巻き取るためのリール８に巻装されている。
【００６０】
そして、図２（ｃ）に示すように、１人又は複数人の作業員が搭上し、鋼管Ｑの上端開口側に通し線６先端の挿入用先端金具５が到着後、挿入用先端金具５をジョイント部７から取外して、図５（ｂ）に示すアイフック状の引替用金具７Ａに取り替える。
【００６１】
次に、図２（ｄ）に示すように、掻き出し用掃除部２Ａを備えた掃拭用ワイヤーロープ２が接続されている、鋼管Ｑよりも長い所定の長さのロープ１の一端を、シャックル４（Ｕ字形の連結金具）を介して、前記アイフック状の引替用金具７Ａに連結する。
【００６２】
次に、図３（ａ）に示すように、地上における鋼管Ｑの下端開口側で通し線６をリール８で巻き取り、到着したロープ１を、掻き出し用掃除部２Ａを備えた掃拭用ワイヤーロープ２を介して、ループ状に連結する。尚、本例においては、掻き出し用掃除部２Ａを備えた掃拭用ワイヤーロープ２は、２本直列となって接続されている。
【００６３】
次に、図３（ｂ）に示すように、掻き出し用掃除部２Ａにより営巣が下端開口側に移動するよう、掃拭用ワイヤーロープ２を連結したロープ１を下方向に輪転させるように引く。
【００６４】
このとき、掻き出し用掃除部２Ａのワイヤーブラシを窄めながら、鋼管Ｑの上端開口側から内部に強制的に挿入する。これにより、営巣（藁など）を地上における鋼管Ｑの下端開口側に強制的に移動させながら、塵埃物と共に掻き出し口に集められる。
【００６５】
営巣の移動を確認した後、図７に示すように、下端開口側に集塵袋９を設置し、不図示のブロアを併用しながら、地上における鋼管Ｑの下端開口側から不図示の掻き出し金具を使って営巣を掻き出す。
【００６６】
営巣の掻き出し後、図３（ｃ）に示すように、再度、スコープＳで鋼管Ｑ内部の状態を確認する。
【００６７】
鋼管Ｑ内部に営巣の残材が無いことを確認した後、図３（ｄ）に示すように、掻き出し用掃除部２Ａを備えた掃拭用ワイヤーロープ２を、シャックル４（Ｕ字形の連結金具）を介して、清掃用掃除部３Ａを備えた掃拭用ワイヤーロープ３に付け替える。尚、この場合、上記した掻き出し用掃除部２Ａを備えた掃拭用ワイヤーロープ２のロープ１への取り付け手順と同様な手順で行う。
【００６８】
そして、鋼管Ｑ内の下方向又は上方向に交互に清掃用掃除部３Ａを循環させるように掃拭用ワイヤーロープ３を連結したロープ１を輪転させ、清掃用掃除部３Ａによって鋼管Ｑ内壁に付着している塵埃物を撤去する。
【００６９】
尚、一々例示はしないが、本発明は、その趣旨を逸脱しない範囲内において、種々の変更が加えられて実施されるものである。
【産業上の利用可能性】
【００７０】
本発明は、電力線鉄塔Ｐの鋼管Ｑ内部に作られた営巣を撤去して清掃する他に、例えば、橋梁やタワー等の様々な管材の営巣撤去工具及び営巣撤去工法として、幅広く利用されるものである。
【符号の説明】
【００７１】
Ｐ…鉄塔
Ｑ…鋼管
Ｓ…スコープ（内視鏡）
１…所定の長さのロープ
２…掃拭用ワイヤーロープ
３…掃拭用ワイヤーロープ
２Ａ…掻き出し用掃除部
３Ａ…清掃用掃除部
４…シャックル
５…挿入用先端金具
６…通し線(ファイバー線)
７…ジョイント部
７Ａ…引替用金具
８…リール
９…集塵袋
【図１】
2019010605.tif 000003
【図２】
2019010605.tif 000004
【図３】
2019010605.tif 000005
【図４】
2019010605.tif 000006
【図５】
2019010605.tif 000007
【図６】
2019010605.tif 000008
【図７】
2019010605.tif 000009